(57)【要約】【課題】ディスプレイパネル及びその駆動回路の提供。【解決手段】このディスプレイパネル及びその駆動回路は、走査駆動回路より複数の走査信号を生成し、ディスプレイパネルの複数の画素構造を走査し、データ駆動回路が複数のデータ信号を生成し、並びにこれら走査信号に対応してこれらデータ信号をこれら画素構造に伝送し、そのうちこれら画素構造の共同電極は接地端に接続される。こうして、本発明は走査信号の切り換え時に、共同電極上の電圧に干渉し、表示品質に影響が生じるのを防止し、並びにディスプレイパネルのこれら画素構造の共同電極が接地端に接続されることで、直接静電気を接地端に導出し、これにより耐静電気特性を増す。さらに、本発明のデータ駆動回路は、補償回路の補償信号により複数のガンマ電圧の信号準位を調整し、これにより、出力するデータ信号の準位を調整し、こうして、本発明は余分に共同電極参考電圧を生成する必要がなく、回路面積を減らし、これにより製造コスト削減を達成できる。【選択図】図８Ｂ
2018077505.tif 000002
【特許請求の範囲】
【請求項１】
ディスプレイパネルの駆動回路において、
走査駆動回路であって、複数の走査信号を生成し、該ディスプレイパネルの複数の画素構造を走査する、上記走査駆動回路と、
データ駆動回路であって、複数のデータ信号を生成し、これら画素構造が走査される時、これらデータ信号をこれら画素構造に伝送する、上記データ駆動回路と、
補償回路であって、補償信号を生成し、該補償信号は、該データ駆動回路の出力するこれらデータ信号の信号準位を調整する、上記補償回路と、
を含み、そのうち、これら画素構造の共同電極は該データ駆動回路の接地端に接続されることを特徴とする、ディスプレイパネルの駆動回路。
【請求項２】
請求項１記載のディスプレイパネルの駆動回路において、該データ駆動回路は、
ガンマ電圧生成回路であって、電源電圧を受け取り、複数の分圧信号を生成し、これら分圧信号とガンマ曲線データに基づき複数のガンマ電圧を生成し、該補償信号をこれら分圧信号の信号準位を調整するのに用いて、これらガンマ電圧の信号準位を調整する、上記ガンマ電圧生成回路と、
複数のデジタルアナログ変換回路であって、複数の表示信号に基づき、これらガンマ電圧の一部のガンマ電圧を選択して出力することで、これらデータ信号を生成して、該ディスプレイパネルを駆動する、上記複数のデジタルアナログ変換回路と、
を含み、そのうち、これら画素構造の該共同電極は該走査駆動回路の接地端に接続されないことを特徴とする、ディスプレイパネルの駆動回路。
【請求項３】
請求項２記載のディスプレイパネルの駆動回路において、該ガンマ電圧生成回路は、
分圧回路であって、該補償信号に基づいてこれら分圧信号を生成し、該補償信号は該分圧回路の抵抗値を調整する、上記分圧回路と、
ガンマ電圧選択ユニットであって、該分圧回路に接続され、該ガンマ曲線データに基づいてこれら分圧信号の一部の分圧信号を選択してこれらガンマ電圧を生成する、上記ガンマ電圧選択ユニットと、
を含むことを特徴とする、ディスプレイパネルの駆動回路。
【請求項４】
請求項２記載のディスプレイパネルの駆動回路において、
入出力インタフェースであって、該ガンマ曲線データとこれら表示信号を受け取る、上記入出力インタフェースと、
ガンマ曲線データレジスタであって、該入出力インタフェースに接続され、該ガンマ曲線データを一時保存して該ガンマ曲線データを該ガンマ電圧生成回路に伝送する、上記ガンマ曲線データレジスタと、
をさらに含むことを特徴とする、ディスプレイパネルの駆動回路。
【請求項５】
請求項１記載のディスプレイパネルの駆動回路において、該補償回路は、
該補償信号を生成する、補償ユニットと、
調整回路であって、電源電圧を受け取り、並びに該電源電圧を分圧して複数の調整信号を生成する、上記調整回路と、
切り換え回路であって、該調整回路に接続され、並びに該補償信号に基づき、これら調整信号を選択して第１参考電圧と第２参考電圧を生成し、並びに該第１参考電圧と該第２参考電圧を該ガンマ電圧生成回路の分圧回路に伝送し、該分圧回路は該第１参考電圧と該第２参考電圧に基づき、これら分圧信号を生成させる、上記切り換え回路と、
を包含することを特徴とする、ディスプレイパネルの駆動回路。
【請求項６】
請求項５記載のディスプレイパネルの駆動回路において、
第１増幅ユニットであって、該切り換え回路に接続され、並びに該第１参考電圧をバッファして該分圧回路に伝送する、上記第１増幅ユニットと、
第２増幅ユニットであって、該切り換え回路に接続され、並びに該第２参考電圧をバッファして該分圧回路に伝送する、上記第２増幅ユニットと、
を包含することを特徴とする、ディスプレイパネルの駆動回路。
【請求項７】
請求項１記載のディスプレイパネルの駆動回路において、さらに、
演算回路であって、ガンマ曲線データと該補償信号を演算して演算信号を生成する、上記演算回路と、を含み、
該データ駆動回路は、
ガンマ電圧生成回路であって、複数の分圧信号を生成し、該演算信号に基づきこれら分圧信号の一部の分圧信号を選択して複数のガンマ電圧を生成する、上記ガンマ電圧生成回路と、
複数のデジタルアナログ変換回路であって、複数の表示信号に基づきこれらガンマ電圧の一部のガンマ電圧を選択して出力することで、これらデータ信号を生成し、該ディスプレイパネルを駆動する、上記複数のデジタルアナログ変換回路と、
を含み、該補償回路の該補償信号はこれらガンマ電圧の信号準位を調整し、これにより、データ駆動回路３０の出力するデータ信号の信号準位を調整することを特徴とする、ディスプレイパネルの駆動回路。
【請求項８】
請求項７記載のディスプレイパネルの駆動回路において、該ガンマ曲線データはこれら分圧信号の一部分圧信号を選択するのに用いられ、該演算回路は該補償信号により該ガンマ曲線データを調整して該演算信号を生成することで、該ガンマ曲線データを該演算信号に置き換え、該ガンマ電圧生成回路は、
これら分圧信号を生成する分圧回路と、
ガンマ電圧選択ユニットであって、該分圧回路に接続され、該演算信号に基づきこれら分圧信号の一部分圧信号を選択してこれらガンマ電圧を生成する、上記ガンマ電圧選択ユニットと、
を含むことを特徴とする、ディスプレイパネルの駆動回路。
【請求項９】
液晶ディスプレイパネルの駆動回路において、
走査駆動回路であって、複数の走査信号を生成し、該ディスプレイパネルの複数の画素構造を走査する、上記走査駆動回路と、
データ駆動回路であって、複数のデータ信号を生成し、これら画素構造が走査されるとき、これらデータ信号をこれら画素構造に伝送する、上記データ駆動回路と、
を含み、
該駆動回路は第１接地端、第２接地端を含み、該走査駆動回路は該第１接地端に接続され、該データ駆動回路とこれら画素構造の共同電極は該第２接地端に接続されることを特徴とする、液晶ディスプレイパネルの駆動回路。
【請求項１０】
請求項９記載の液晶ディスプレイパネルの駆動回路において、該データ駆動回路は、
補償信号を生成する、補償ユニットと、
ガンマ電圧生成回路であって、複数のガンマ信号を生成する、上記ガンマ電圧生成回路と、
複数のデジタルアナログ変換回路であって、複数の表示信号に基づき、これらガンマ電圧の一部のガンマ電圧を選択して出力することで、これらデータ信号を生成する、上記複数のデジタルアナログ変換回路と、
を含み、そのうち、該ガンマ電圧生成回路は、複数の分圧信号を生成し、これら分圧信号とガンマ曲線データに基づき複数のガンマ電圧を生成し、該補償信号をこれら分圧信号の信号準位を調整するのに用いて、これらガンマ電圧の信号準位を調整することを特徴とする、液晶ディスプレイパネルの駆動回路。
【請求項１１】
請求項１０記載のディスプレイパネルの駆動回路において、該ガンマ電圧生成回路は、
分圧回路であって、該補償信号に基づいてこれら分圧信号を生成し、該補償信号は該分圧回路の抵抗値を調整する、上記分圧回路と、
ガンマ電圧選択ユニットであって、該分圧回路に接続され、該ガンマ曲線データに基づいてこれら分圧信号の一部の分圧信号を選択してこれらガンマ電圧を生成する、上記ガンマ電圧選択ユニットと、
を含むことを特徴とする、ディスプレイパネルの駆動回路。
【請求項１２】
請求項９記載のディスプレイパネルの駆動回路において、さらに、
補償信号を生成する補償回路と、
演算回路であって、ガンマ曲線データと該補償信号を演算して演算信号を生成する、上記演算回路と、
を含み、そのうち、該ガンマ電圧生成回路は、複数の分圧信号を生成し、該演算信号に基づきこれら分圧信号の一部分圧信号を選択してこれらガンマ電圧を生成し、該補償回路の該補償信号をこれらガンマ電圧の信号準位を調整することを特徴とする、液晶ディスプレイパネルの駆動回路。
【請求項１３】
請求項１２記載のディスプレイパネルの駆動回路において、該ガンマ曲線データはこれら分圧信号の一部分圧信号を選択するのに用いられ、該演算回路は該補償信号により該ガンマ曲線データを調整して該演算信号を生成することで、該ガンマ曲線データを該演算信号に置き換え、該ガンマ電圧生成回路は、
これら分圧信号を生成する分圧回路と、
ガンマ電圧選択ユニットであって、該分圧回路に接続され、該演算信号に基づきこれら分圧信号の一部分圧信号を選択してこれらガンマ電圧を生成する、上記ガンマ電圧選択ユニットと、
を含むことを特徴とする、ディスプレイパネルの駆動回路。
【請求項１４】
請求項９記載のディスプレイパネルの駆動回路において、該データ駆動回路は該第２接地端とこれら画素構造の間に接続され、該駆動回路の該第１接地端と該第２接地端は異なる接地端であることを特徴とする、液晶ディスプレイパネルの駆動回路。
【請求項１５】
液晶ディスプレイパネルにおいて、
複数の走査線と、
これら走査線と交差する複数のデータ線と、
複数の画素構造であって、それぞれこれら走査線とこれらデータ線の交差部分に位置し、これら画素構造はこれら走査線とこれらデータ線に接続される、上記複数の画素構造と、
データ駆動回路であって、これら画素構造を駆動する、上記データ駆動回路と、
を含み、
該データ駆動回路は、
ガンマ電圧生成回路であって、複数のガンマ電圧を生成する、上記ガンマ電圧生成回路と、
複数のデジタルアナログ変換回路であって、複数の表示信号に基づきこれらガンマ電圧の一部のガンマ電圧を選択して出力することで、複数のデータ信号を生成し、これら画素構造を駆動する、上記複数のデジタルアナログ変換回路と、
を含み、そのうち、これら画素構造の共同電極は該データ駆動回路の接地端に接続されることを特徴とする、液晶ディスプレイパネル。
【請求項１６】
請求項１５記載の液晶ディスプレイパネルにおいて、該データ駆動回路は、
補償信号を生成する補償回路を含み、該ガンマ電圧生成回路は複数の分圧信号を生成し、並びにこれら分圧信号とガンマ曲線データに基づきこれらガンマ電圧を生成し、該補償信号がこれら分圧信号の信号準位を調整するのに用いられることで、これらガンマ電圧の信号準位が調整されることを特徴とする、液晶ディスプレイパネル。
【請求項１７】
請求項１５記載の液晶ディスプレイパネルにおいて、
補償信号を生成する補償回路と、
演算回路であって、ガンマ曲線データと該補償信号を演算して演算信号を生成する、上記演算回路と、
を含み、該ガンマ電圧生成回路は複数の分圧信号を生成し、並びに該演算信号に基づきこれら分圧信号の一部分圧信号を選択してこれらガンマ電圧を生成し、該補償回路の該補償信号はこれらガンマ電圧の信号準位を調整するのに用いられることを特徴とする、液晶ディスプレイパネル。
【請求項１８】
請求項１７記載の液晶ディスプレイパネルにおいて、該ガンマ曲線データはこれら分圧信号の一部分圧信号を選択するのに用いられ、該演算回路は該補償信号により該ガンマ曲線データを調整して該演算信号を生成することで、該ガンマ曲線データを該演算信号に置き換え、該ガンマ電圧生成回路は、
これら分圧信号を生成する分圧回路と、
ガンマ電圧選択ユニットであって、該分圧回路に接続され、並びに該演算信号に基づきこれら分圧信号の一部分圧信号を選択してこれらガンマ電圧を生成する、上記ガンマ電圧選択ユニットと、
を含むことを特徴とする、液晶ディスプレイパネル。
【請求項１９】
請求項１５記載の液晶ディスプレイパネルにおいて、これら画素構造の該共同電極は該走査駆動回路の接地端に接続されないことを特徴とする、液晶ディスプレイパネル。
【請求項２０】
請求項１５記載の液晶ディスプレイパネルにおいて、これら画素構造はそれぞれ静電気放電回路を有し、該静電気放電回路は静電気を接地端へと導出することを特徴とする、液晶ディスプレイパネル。
【請求項２１】
請求項１５記載の液晶ディスプレイパネルにおいて、該データ駆動回路はこれら画素構造の液晶コンデンサの両端に接続されることを特徴とする、液晶ディスプレイパネル。
【発明の詳細な説明】
【技術分野】
【０００１】
本発明は一種のディスプレイパネル及びその駆動回路に係り、特に、表示品質をアップし、ちらつきを減らせるディスプレイパネル及びその駆動回路に関する。
【背景技術】
【０００２】
現代の科学技術の勃興発展により、各種の情報商品が続々と出現し、民衆の異なる要求を満足させている。早期のディスプレイの大半は、ＣＲＴ（Ｃａｔｈｏｄｅ  Ｒａｙ  Ｔｕｂｅ）ディスプレイとされ、その体積は大きく消費電力も大きく、且つその発生する輻射線は、ディスプレイの長時間の使用者に、身体の危害を及ぼす恐れがある。このため、現在市場にあるディスプレイは、ＣＲＴディスプレイから次第に液晶ディスプレイ（Ｌｉｑｕｉｄ  Ｃｒｙｓｔａｌ  Ｄｉｓｐｌａｙ，ＬＣＤ）へと置き換えられている。液晶ディスプレイは、軽量薄型でコンパクトであり、輻射が少なく消費電力も少ない等の長所があり、このため、現在市場の主流となっている。
【０００３】
液晶ディスプレイはデータ信号に照らして液晶ユニットの光透過率を制御し、画像を表示する。図１に示されるのは、周知の技術のディスプレイパネル及びその画素構造の表示図である。図示されるように、ディスプレイパネルは、複数の画素構造１０’と一つの駆動チップ２０’を包含する。該駆動チップ２０’は駆動信号を生成してこれら画素構造１０’を駆動し、画像を表示する。
【０００４】
そのうち、各画素構造１０’は、薄膜トランジスタ（ｔｈｉｎ  ｆｉｌｍ  ｔｒａｎｓｉｓｔｏｒ，ＴＦＴ）１２’と保存コンデンサ１４’を包含する。該薄膜トランジスタ１２’のゲート（ｇａｔｅ）電極は走査線に接続され、並びに薄膜トランジスタ１２’のソース（ｓｏｕｒｃｅ）電極は、駆動チップ２０’に接続され、且つ薄膜トランジスタ１２’のドレイン（Ｄｒａｉｎ）電極は、保存コンデンサ１４’に接続される。
【０００５】
アクティブマトリックスタイプ液晶ディスプレイはアクティブコントロールスイッチ装置を採用し、これにより、このような液晶ディスプレイは動画表示において優勢を有し、薄膜トランジスタ１２’は、すなわち、アクティブマトリックスタイプ液晶ディスプレイのスイッチ装置とされる。
【０００６】
さらに、薄膜トランジスタ液晶ディスプレイパネルの運用は広範にわたり、その駆動方式は、ゲート端を用いて内部ユニットを制御してオンし、さらにソース端を用いて正確な電圧を送り込むことで、ディスプレイパネルの液晶回転方向を制御し、これにより画像を表示する。
【０００７】
図２及び図３を参照されたい。それは周知の技術のディスプレイパネルのこれら画素構造の表示図と、これら画素構造の駆動信号の波形図である。図示されるように、駆動チップ２０’は複数の走査信号Ｇ０、Ｇ１、・・・、Ｇｎを生成し得て、並びに順に、これら走査信号Ｇ０、Ｇ１、・・・、Ｇｎを、これら画素構造の複数の走査線Ｇａ１、Ｇａ２、・・・、Ｇａｎに送り、任意の一つの走査線がオンとされる（走査信号がＶＧＨに達する）時、複数のデータ線Ｓ０、Ｓ１、・・・Ｓｎが同時に、ディスプレイパネルの画素構造１０’に対して、画像データ対応電圧を印加し、画像表示を達成する。
【０００８】
これら画素構造１０’の薄膜トランジスタ１２’と保存コンデンサ１４’（図２に示されるＣｓ１、Ｃｓ２、Ｃｓ３及びＣｓ４）の間に寄生容量１６’が存在し、こうして、走査信号Ｇ０がオフとされる時に、保存コンデンサＣｓ１、Ｃｓ２の保存電圧は寄生容量１６’により、下向きに一つのオフセット電圧Ｖｓｆｔ（約１Ｖ）に結合される。
【０００９】
ゆえに、駆動チップ２０’は、オフセット電圧Ｖｓｆｔにより、参考電圧ＤＣを、これら画素構造の共同電極１８’に提供し、共同電圧となす。
【００１０】
走査信号Ｇ０がオフとなる時、保存コンデンサＣｓ１、Ｃｓ２の保存電圧は寄生容量１６’により、下向きに一つのオフセット電圧Ｖｓｆｔに結合される時、保存コンデンサＣｓ１、Ｃｓ２上の保存電圧は、同じグレーレベルを表示する時、共同電極１８’の共同電圧に対称である。
【００１１】
しかし、個別パネル間の寄生容量１６’にはそれぞれ差異が存在するため、異なるパネルの保存コンデンサＣｓ１、Ｃｓ２の保存電圧は、寄生容量１６’により下向きに、一つのオフセット電圧Ｖｓｆｔに結合された後、このオフセット電圧Ｖｓｆｔは、異なるパネルに伴い、やや差異を有し、保存コンデンサＣｓ１、Ｃｓ２上の保存電圧が同じグレーレベルを表示する時に、共同電極１８’の共同電圧に不対称となりやすく、ちらつきの現象が発生する。
【００１２】
周知の技術は、この問題を克服するために、駆動チップ２０’により参考電圧ＤＣをこれら画素構造の共同電極１８’に提供し（図４参照）、並びに電圧微調整機能を具えるものとされるが、これは回路面積の増加をもたらし並びにパワー消耗が増加する問題を有する。
【００１３】
また、走査信号Ｇ０が薄膜トランジスタを切り換える時（図５に示されるとおり）、画素構造の共同電極上の共同電圧の準位に影響が生じ、これにより、表示品質に影響が生じ得る。
【００１４】
このほか、ディスプレイパネルのこれら画素構造は直接には接地せず、ディスプレイパネルが静電気の影響を受ける時、共同電極の接点より静電気放電回路３０’を介して釈放しなければならず（図６に示されるとおり）、このように、直接に静電気を接地端に導出できないと、静電気は共同電極を介して駆動チップ２０’回路を損壊する場合がある。このため、周知の技術のディスプレイパネルのモジュール耐静電気特性は比較的低い。
【００１５】
これにより、上述の問題に対して、一種の、新規なディスプレイパネル及びその駆動回路を提供し、余分に参考電圧をこれら画素構造の共同電極に提供しなくてもよくして、回路面積を減らし、並びにパワー消耗を減らすことが求められる。
【００１６】
さらに、走査信号切り換えが共同電極に影響を与えるのを防止して、表示品質を高めることが求められる。
【００１７】
また、ディスプレイパネルの耐静電気特性をアップすることで、上述の問題を解決することが求められる。
【発明の概要】
【発明が解決しようとする課題】
【００１８】
本発明の目的の一つは、一種のディスプレイパネル及びその駆動回路を提供することにあり、それは、ディスプレイパネルの複数の画素構造の共同電極が接地端に接続され、走査信号の切り換え時の共同電極上の電圧への影響を防止し、これにより表示品質をアップするものとする。
【００１９】
本発明の目的の一つは、一種のディスプレイパネル及びその駆動回路を提供することにあり、それはディスプレイパネルの複数の画素構造の一つの共同電極が接地端に接続されて、直接に静電気を接地端に導出し、これにより耐静電気特性をアップできるものとする。
【００２０】
本発明の目的の一つは、一種のディスプレイパネル及びその駆動回路を提供することにあり、それは、補償回路の補償信号により、複数のガンマ電圧の信号準位を調整し、余分に共同電極参考電圧を生成する必要をなくし、これにより回路面積を減らし、ひいては製造コスト削減を達成するものとする。
【課題を解決するための手段】
【００２１】
本発明のディスプレイパネルの駆動回路は、走査駆動回路とデータ駆動回路を包含する。該走査駆動回路は複数の走査信号を生成し、ディスプレイパネルの複数の画素構造を走査する。該データ駆動回路は複数のデータ信号を生成し、これら画素構造が走査される時にこれらデータ信号をこれら画素構造に伝送する。これら画素構造の共同電極は接地端に接続される。
【００２２】
これにより、本発明はディスプレイパネルのこれら画素構造の共同電極が接地端に接続されることで、走査信号の切り換え時の、共同電極上の電圧への影響を防止して、表示品質をアップし、並びにディスプレイパネルのこれら画素構造の共同電極が接地端に接続されることにより、直接静電気を該接地端に導出し、耐静電気特性をアップすることができる。
【００２３】
さらに、本発明のデータ駆動回路は、補償回路、ガンマ電圧生成回路、複数のデジタルアナログ変換回路、複数のバッファユニットを包含する。
【００２４】
該補償回路は補償信号を生成し、該ガンマ電圧生成回路は該補償信号とガンマ曲線データに基づき複数のガンマ電圧を生成する。これらデジタルアナログ変換回路はこれら表示信号に基づきこれらガンマ電圧の一部ガンマ電圧を出力する。これらバッファユニットは、これらデジタルアナログ変換回路に対応し、これらデジタルアナログ変換回路の出力するこれらガンマ電圧に基づき、複数のデータ信号を生成し、ディスプレイパネルを駆動する。
【００２５】
そのうち、該補償回路の補償信号はこれらガンマ電圧の信号準位を調整する。該データ駆動回路の接地端はディスプレイパネルの共同電極に接続される。こうして、本発明は、補償回路の補償信号により複数のガンマ電圧の信号準位を調整し、余分に共同電極参考電圧を生成する必要をなくし、回路面積を減らし、これにより製造コストの削減を達成する。
【発明の効果】
【００２６】
本発明のディスプレイパネルの駆動回路は、走査駆動回路より複数の走査信号を生成し、ディスプレイパネルの複数の画素構造を走査し、データ駆動回路が複数のデータ信号を生成し、並びにこれら走査信号に対応してこれらデータ信号をこれら画素構造に伝送し、そのうちこれら画素構造の共同電極は接地端に接続される。
【００２７】
こうして、本発明は走査信号の切り換え時に、共同電極上の電圧に干渉し、表示品質に影響が生じるのを防止し、並びにディスプレイパネルのこれら画素構造の共同電極が接地端に接続されることで、直接静電気を接地端に導出し、これにより耐静電気特性を増す。
【００２８】
さらに、本発明のデータ駆動回路は、補償回路の補償信号により複数のガンマ電圧の信号準位を調整し、これにより、出力するデータ信号の準位を調整し、こうして、本発明は余分に共同電極参考電圧を生成する必要がなく、回路面積を減らし、これにより製造コスト削減を達成できる。
【図面の簡単な説明】
【００２９】
【図１】周知の技術のディスプレイパネル及びその複数の画素構造の表示図である。
【図２】周知の技術のディスプレイパネルの画素構造の表示図である。
【図３】周知の技術の画素構造の駆動信号の波形図である。
【図４】周知の技術の駆動回路がディスプレイパネルの画素構造を駆動する表示図である。
【図５】周知の技術の走査信号の準位の切り換えが共同電圧に影響を与えることを示す波形図である。
【図６】周知の技術のディスプレイパネルの静電気放電の表示図である。
【図７】本発明のディスプレイの実施例の表示図である。
【図８Ａ】本発明のディスプレイパネルの実施例の表示図である。
【図８Ｂ】本発明のディスプレイパネルの別の実施例の表示図である。
【図９】本発明のディスプレイパネルのデータ駆動回路の実施例の回路図である。
【図１０】本発明のディスプレイパネルの駆動信号の波形図である。
【図１１】本発明のディスプレイパネルの、駆動信号を利用したちらつき消去を示す波形図である。
【図１２】本発明のディスプレイパネルのデータ駆動回路の別の実施例の回路図である。
【図１３】本発明のディスプレイパネルのデータ駆動回路のまた別の実施例の回路図である。
【発明を実施するための形態】
【００３０】
本発明の技術内容、構造特徴、達成する目的を詳細に説明するため、以下に実施例を挙げ並びに図面を組み合わせて説明する。
【００３１】
図７及び図８Ａを参照されたい。それぞれは本発明のディスプレイとディスプレイパネルの実施例の表示図である。図示されるように、本発明のディスプレイパネルは、ディスプレイパネル１と駆動回路２を包含する。
【００３２】
ディスプレイパネル１は、複数の画素構造１０を包含し、これら画素構造１０は、ディスプレイパネル１の走査線とデータ線の交差部分に位置する。画素構造１０は、トランジスタ１２と保存コンデンサ１４を包含する。
【００３３】
トランジスタ１２はゲート電極、ソース電極、ドレイン電極を具えている。トランジスタ１２はスイッチとされ、並びにトランジスタ１２のゲート電極はディスプレイパネル１の走査線に接続されて、これによりトランジスタ１２のオンとオフを制御し、トランジスタ１２のソース電極はディスプレイパネル１のデータ線に接続され、これにより、トランジスタ１２のオンにより、データ信号を受け取る。トランジスタ１２のドレイン電極は、保存コンデンサ１４の一端に接続され、該保存コンデンサ１４の他端（すなわち、共同電極ＣＯＭ）は接地端に接続される。そのうち、保存コンデンサ１４は液晶コンデンサとされる。
【００３４】
これら画素構造１０の共同電極ＣＯＭは接地端に接続され、これにより共同電極ＣＯＭ上の共同電圧ＶＣＯＭは０とされる。これにより、静電気が発生してディスプレイパネル１に進入する時、静電気は、直接これら画素構造１０の共同電極ＣＯＭを介して接地端へと導出される。これにより、本発明は、ディスプレイパネル１のこれら画素構造１０の共同電極ＣＯＭが接地端に接続されることにより、直接静電気を接地端へと導出し、これにより耐静電気特性をアップしている。
【００３５】
さらに、本発明のディスプレイパネルの駆動回路２は走査駆動回路２０とデータ駆動回路３０を包含する。走査駆動回路２０は複数の走査信号を生成してディスプレイパネル１のこれら画素構造１０を走査し、データ駆動回路３０は複数のデータ信号を生成し、並びにこれら走査信号に対応してこれらデータ信号をこれら画素構造１０に伝送する。
【００３６】
このほか、図８Ｂを参照されたい。それは本発明のディスプレイパネルのもう一つの実施例の表示図である。図示されるように、本実施例の図８Ａの実施例と異なるところは、本実施例のこれら画素構造１０の共同電極ＣＯＭは、直接には接地端に接続されておらず、駆動回路２を介して接地端に接続されることである。すなわち、ディスプレイパネル１のこれら画素構造１０の共同電極ＣＯＭは、駆動回路２の任意の一つの接地端に接続され、それにより、共同電極ＣＯＭ上の共同電圧ＶＣＯＭが０とされる。これにより、直接に静電気を接地端に導出し、耐静電気特性をアップすることができる。
【００３７】
図９を併せて参照されたい。それは本発明のディスプレイパネルのデータ駆動回路の実施例の回路図である。図示されるように、本発明のディスプレイパネルのデータ駆動回路３０は、補償回路３２、ガンマ電圧生成回路３４、複数のデジタルアナログ変換回路３６（Ｄｉｇｉｔａｌ  ｔｏ  Ａｎａｌｏｇ  Ｃｏｎｖｅｒｔｅｒ，ＤＡＣ）及び複数のバッファユニット３８を包含する。
【００３８】
補償回路３２は補償信号を生成する。ガンマ電圧生成回路３４は該補償信号とガンマ曲線データに基づき複数のガンマ電圧を生成しい、すなわち、補償回路３２の生成する補償信号は、ガンマ電圧生成回路３４が出力するこれらガンマ電圧の信号準位を調整するのに用いられる（図１０に示されるとおり）。
【００３９】
これらデジタルアナログ変換回路３６は複数の表示信号に基づきこれらガンマ電圧の一部ガンマ電圧を選択して出力し、すなわち、これらデジタルアナログ変換回路３６は、それぞれ表示信号を受け取った後、表示信号によりそれぞれこれらガンマ電圧のそのうちの一つを選択し、並びに選択したガンマ電圧を出力する。
【００４０】
たとえば、ガンマ電圧生成回路３４が６４個のガンマ電圧を生成してこれらデジタルアナログ変換回路３６に送ると、第１個のデジタルアナログ変換回路３６が受け取る表示信号が１５である時、第１個のデジタルアナログ変換回路３６は第１５個のガンマ電圧を選択して出力する。第５個のデジタルアナログ変換回路３６が受け取る表示信号が５５である時、第５個のデジタルアナログ変換回路３６は第５５個のガンマ電圧を選択して出力する。
【００４１】
これらバッファユニット３８は、これらデジタルアナログ変換回路３６に対応し、これらデジタルアナログ変換回路３６が出力するこれらガンマ電圧に基づき、複数のデータ信号を生成して、ディスプレイパネル１を駆動する。
【００４２】
すなわち、これらバッファユニット３８はそれぞれこれらデジタルアナログ変換回路３６に接続されて、これらデジタルアナログ変換回路３６が出力するこれらガンマ電圧をバッファして、これらデータ信号を生成し並びに出力してディスプレイパネル１を駆動するのに用いられる。
【００４３】
こうして、本発明は、補償回路３２が生成する補償信号が、ガンマ電圧生成回路３４が出力するこれらガンマ電圧の信号準位の調整に用いられることにより、走査信号がオフとされ、保存コンデンサ１４の保存電圧が、寄生容量により下向きに一つのオフセット電圧Ｖｓｆｔと結合する時、保存コンデンサ１４上の保存電圧が同じグレーレベルを表示する時、すなわち、共同電極ＣＯＭの共同電圧ＶＣＯＭに関して対称である。
【００４４】
以上を受け、図１０に示されるように、走査信号がオフされる時、保存コンデンサ１４の保存電圧は寄生容量により、下向きに一つのオフセット電圧Ｖｓｆｔに結合され、並びに、本実施例のこれら画素構造１０の共同電極ＣＯＭは接地端に接続され、ゆえに、本発明の補償回路３２の生成する補償信号は、これらガンマ電圧の信号準位を調整し、これにより、データ駆動回路３０の出力するデータ信号の信号準位を調整する。
【００４５】
たとえば、補償信号の大きさがオフセット電圧Ｖｓｆｔとされると、これらガンマ電圧の信号準位を一つのオフセット電圧Ｖｓｆｔの大きさを上向きに調整するか、一つのオフセット電圧Ｖｓｆｔ分下向きに調整し、これにより、走査信号がオフされる時、保存コンデンサ１４の保存電圧が寄生容量により下向きに一つのオフセット電圧に結合される時、保存コンデンサ１４上の保存電圧が同じグレーレベルを表示する時、すなわち、共同電極の共同電圧ＶＣＯＭに関して対称である。
【００４６】
これにより、本発明は余分に共同電極参考電圧を生成する必要がなく、回路面積を減らし、これにより製造コストの削減を達成する。並びに、走査信号の切り換え時に、共同電極上の電圧に干渉して表示品質に影響が生じるのを防止できる。
【００４７】
図９を再び参照されたい。本発明のガンマ電圧生成回路３４は、分圧回路３４０とガンマ電圧選択ユニット３４２を包含する。分圧回路３４０は電源電圧ＧＶDDを受け取り、並びに補償信号に基づき複数の分圧信号を生成する。ガンマ電圧選択ユニット３４２は分圧回路３４０に接続され、並びにガンマ曲線データに基づき、これら分圧信号の一部分圧信号を選択し、これらガンマ電圧を生成する。
【００４８】
このほか、本発明のディスプレイパネル１のデータ駆動回路３０は、さらに入出力インタフェース４０、ガンマ曲線データレジスタ４２、表示メモリ４４、シフトレジスタ４６及びバッファ回路４８を包含する。
【００４９】
該入出力インタフェース４０はガンマ曲線データと表示信号を受け取る。ガンマ曲線データレジスタ４２は入出力インタフェース４０に接続され、並びにガンマ曲線データを暫時保存し、ガンマ曲線データをガンマ電圧生成回路３４に伝送する。表示メモリ４４は入出力インタフェース４０に接続され、並びに表示信号を保存し、シフトレジスタ４６は表示メモリ４４に接続され、並びに表示信号を受け取り且つシフトし、バッファ回路４８はシフトレジスタ４６に接続され、並びに表示信号をバッファしてこれらデジタルアナログ変換回路３６に伝送する。
【００５０】
図１１を参照されたい。それは本発明のディスプレイパネルの、駆動信号を利用したちらつき消去の波形図である。図示されるように、本実施例は図９の実施例の波形図である。
【００５１】
本実施例のデータ駆動回路３０は、補償回路３２によりガンマ電圧生成回路３４が出力するこれらガンマ電圧の大きさを制御し、これにより、データ信号の大きさを制御して走査信号がオフの時の補償を行なう時、保存コンデンサ１４の保存電圧に、寄生容量により下向きに一つのオフセット電圧Ｖｓｆｔの大きさ分が結合され、これにより、走査信号の準位切り換え時に、保存コンデンサ１４上の保存電圧が、同じグレーレベルを表示する時に、共同電極の共同電圧ＶＣＯＭに関して対称とされて、ちらつきの現象が消去される。
【００５２】
すなわち、本実施例のデータ駆動回路３０は、補償回路３２がデータ信号の大きさを微調整して共同電極の共同電圧ＶＣＯＭに関して対称とされることで、ちらつきの現象を消去する。
【００５３】
図１２を参照されたい。それは本発明のディスプレイパネルの駆動回路のもう一つの実施例の回路図である。図示されるように、本実施例の、図９の実施例との違いは、以下のとおりである。本実施例の補償回路３２は、補償ユニット３２０、調整回路３２２、切り換え回路３２４を包含する。
【００５４】
補償ユニット３２０は、補償信号を生成するのに用いられ、調整回路３２２は電源電圧ＧＶｄｄを受け取り、並びに電源電圧ＧＶｄｄを分圧して複数の調整信号を生成し、切り換え回路３２４は調整回路３２２に接続され、並びに補償信号に基づき、これら調整信号を選択し、第１参考電圧と第２参考電圧を生成し、並びに該第１参考電圧と該第２参考電圧を、ガンマ電圧生成回路３４に伝送する。
【００５５】
こうして、本実施例は、補償ユニット３２０が生成した補償信号を利用し、切り換え回路３２４を介して調整回路３２２が生成したこれら調整信号を選択し、第１参考信号と第２参考信号を生成し、これらガンマ電圧の信号準位を調整し、これにより、データ駆動回路３０が出力するデータ信号の信号準位を調整する。
【００５６】
こうして、本実施例は、補償ユニット３２０の補償信号により複数のガンマ電圧の信号準位を調整し、余分に共同電極参考電圧を生成する必要がなく、これにより回路面積を減らし、これにより製造コスト削減を達成する。
【００５７】
このほか、本実施例の補償回路３２はさらに、第１増幅ユニット３２６と第２増幅ユニット３２８を包含する。第１増幅ユニット３２６は切り換え回路３２４に接続され、並びに第１参考電圧をバッファして分圧回路３４０に伝送し、第２増幅ユニット３２８は切り換え回路３２４に接続され、並びに第２参考電圧をバッファし分圧回路３４０に伝送し、分圧回路３４０は第１参考電圧と第２参考電圧の電圧差を分圧してこれら分圧信号を生成する。
【００５８】
図１３を参照されたい。それは本発明のディスプレイパネルの駆動回路のまた一つの実施例の回路図である。図示されるように、本実施例の、図９と図１２の実施例との異なるところは、本実施例のデータ駆動回路３０は、さらに演算回路５０を包含することにある。
【００５９】
演算回路５０はガンマ曲線データレジスタ４２に接続され、並びにガンマ曲線データと補償信号を演算して演算信号を生成し、並びに演算信号をガンマ電圧生成回路３４に伝送し、これらガンマ電圧を生成し、すなわち、補償回路３２はこれら画素構造１０の保存コンデンサ１４の保存電圧に基づき、トランジスタ１２の寄生容量により、下向きに一つのオフセット電圧の大きさに結合されて、補償信号を生成する。
【００６０】
こうして、演算回路５０は、まず補償信号を、ガンマ曲線データ内に加入し、走査信号がオフされる時に、保存コンデンサ１４の保存電圧が寄生容量により下向きに一つのオフセット電圧に結合される時、保存コンデンサ１４上の保存電圧が同じグレーレベルを表示する時に、共同電極の共同電圧ＶＣＯＭに関して対称とされる。
【００６１】
以上を総合すると、本発明のディスプレイパネルの駆動回路は、走査駆動回路より複数の走査信号を生成し、ディスプレイパネルの複数の画素構造を走査する。また、データ駆動回路が複数のデータ信号を生成し、並びにこれら走査信号に対応してこれらデータ信号をこれら画素構造に伝送する。そのうちこれら画素構造の共同電極は接地端に接続される。
【００６２】
こうして、本発明は、ディスプレイパネルのこれら画素構造の共同電極が接地端に接続されて、走査信号が切り換えられる時に、共同電極上の電圧に影響を与えることがなく、表示品質を向上でき、並びにディスプレイパネルのこれら画素構造の共同電極が接地端に接続されることにより、直接に静電気が接地端に導出され、これにより耐静電気特性がアップされる。
【００６３】
さらに、本発明のデータ駆動回路は、補償回路の補償信号に基づき複数のガンマ電圧の信号準位を調整し、それにより、出力されるデータ信号の準位を調整し、これにより、本発明は並びに余分に共同電極参考電圧を生成する必要がなく、回路面積を減少し、これにより、製造コスト削減を達成できる。
【００６４】
本発明は新規性、進歩性、及び産業上の利用価値を有し、特許の要件に符合し、ここに特許出願をする次第です。
なお、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００６５】
周知技術：
１０’  画素構造
１２’  薄膜トランジスタ
１４’  保存コンデンサ
１６’  寄生容量
１８’  共同電極
２０’  駆動チップ
３０’  静電気放電回路
本発明：
１  ディスプレイパネル
１０  画素構造
１２  トランジスタ
１４  保存コンデンサ
２  駆動回路
２０  走査駆動回路
３０  データ駆動回路
３２  補償回路
３２０  補償ユニット
３２２  調整回路
３２４  切り換え回路
３２６  第１増幅ユニット
３２８  第２増幅ユニット
３４  ガンマ電圧生成回路
３４０  分圧回路
３４２  ガンマ電圧選択ユニット
３６  デジタルアナログ変換回路
３８  バッファユニット
４０  入出力インタフェース
４２  ガンマ曲線データレジスタ
４４  表示メモリ
４６  シフトレジスタ
４８  バッファ回路
５０  演算回路
【図１】
2018077505.tif 000003
【図２】
2018077505.tif 000004
【図３】
2018077505.tif 000005
【図４】
2018077505.tif 000006
【図５】
2018077505.tif 000007
【図６】
2018077505.tif 000008
【図７】
2018077505.tif 000009
【図８Ａ】
2018077505.tif 000010
【図８Ｂ】
2018077505.tif 000011
【図９】
2018077505.tif 000012
【図１０】
2018077505.tif 000013
【図１１】
2018077505.tif 000014
【図１２】
2018077505.tif 000015
【図１３】
2018077505.tif 000016